(57)【特許請求の範囲】
【請求項１】
夫々異なる皮膚特性を測定する複数の測定機（Ｓ１〜Ｓ４）と、
各測定機（Ｓ１〜Ｓ４）の測定結果をコンピュータ（２）に入力させるデータ中継機（３）からなり、
各測定機（Ｓ１〜Ｓ４）は、電源となるバッテリ（４）と、測定しようとする皮膚特性を電気的な信号として出力させるセンサ（２２、２５、３３、４２、５３）と、
そのセンサ（２２、２５、３３、４２、５３）の検出信号に基づいて皮膚特性を表すデータを算出する演算装置（２２、２５、３３、４２、５３）と、
算出されたデータを記憶するメモリ（５）と、
そのデータを数量化して表示する表示部（６）と、
測定した皮膚特性に応じて予め設定された皮膚特性識別用ヘッダと前記メモリに記憶されたデータとからなる通信データを形成する通信データ形成手段（７）と、
前記通信データを光信号に変換して出力する光信号出射部（８）とを備え、
前記データ中継機（３）には、
各測定機（Ｓ１〜Ｓ４）の光信号出射部（８）から出射される光信号を入射させる光信号入射部（１０ａ、１０ｂ）と、当該光信号入射部（１０ａ、１０ｂ）に入射された通信データを光信号のまま、または、電気信号に変換してコンピュータ（２）に入力させる通信データ中継伝送手段（１２）を備えたことを特徴とするスキンカウンセリングデータ入力装置。
【請求項２】
前記各測定機（Ｓ１〜Ｓ４）が同一形状のケーシング（Ｃ）で形成されると共に、前記光信号出射部（８）が全ての測定機（Ｓ１〜Ｓ４）について前記ケーシング（Ｃ）の同じ位置に形成され、前記データ中継機（３）には、前記ケーシング（Ｃ）の光信号出射部（８）が形成された部分を挿し込む挿通孔（９）が形成されると共に、当該挿通孔（９）内には、ケーシング（Ｃ）を挿し込んだときにその光信号出射部（８）と対向する位置に前記光信号入射部（１０ａ、１０ｂ）が形成されて成る請求項１記載のスキンカウンセリングデータ入力装置。
【請求項３】
前記測定機の一が皮膚の油分量及び水分量を測定する油水分測定機（Ｓ１）である請求項１又は２記載のスキンカウンセリングデータ入力装置。
【請求項４】
前記測定機の一が皮膚の明るさ及び色合いを測定する明るさ／色合い測定機（Ｓ２）である請求項１乃至３記載のスキンカウンセリングデータ入力装置。
【請求項５】
前記測定機の一が皮膚の温度を測定する皮膚温度測定機（Ｓ３）である請求項１乃至４記載のスキンカウンセリングデータ入力装置。
【請求項６】
前記測定機の一が皮膚の弾力性を測定する皮膚弾性測定機（Ｓ４）である請求項１乃至５記載のスキンカウンセリングデータ入力装置。
【発明の詳細な説明】
【０００１】
【発明の属する技術分野】
本発明は、化粧品を販売する美容部員が顧客に最適のアドバイスを行うためのスキンカウンセリングデータとなる顧客の皮膚の油分，水分，色合い，皮膚温度などを測定した後、これらをコンピュータ入力させるスキンカウンセリングデータ入力装置に関する。
【０００２】
【従来の技術】
皮膚の油分，水分，色合い，皮膚温度は、化粧品販売店や百貨店の化粧品売場において、顧客の皮膚特性に応じて最も適切な化粧品をアドバイスする際のカウンセリングデータとして用いられており、従来より、これらのデータを検出する皮膚特性測定装置が提案されている（特開平２−２６８７３８号，特開平３−２６２３０号公報参照）。
【０００３】
図１２はこのような従来の皮膚特性測定装置を示す斜視図，図１３はそのブロック図である。卓上型の装置本体６０の上面には、先端に油分採取チップ６１が装着可能な油分量測定プローブ６２と、先端に水分センサ６３を配した水分量測定プローブ６４と、先端に温度センサ６５を配した皮膚温度測定プローブ６６とを夫々収納するホルダー６７，６８，６９が形成されると共に、前記油分量測定プローブ６２を収納するホルダー６７の底部には、油分採取チップ６１に光を照射してその反射光強度を検出する油分測定光学系７１が配され、前記水分量測定プローブ６４，皮膚温度測定プローブ６６は信号線７２，７３を介して装置本体６０に連結されている。
【０００４】
装置本体６０には、その内部に、前記油分測定光学系７１で検出された反射光強度に基づいて油分量を測定する油分量測定手段７４と、水分センサ６３の出力信号に基づいて水分量を算出する水分量測定手段７５と、温度センサ６５の出力信号に基づいて皮膚温度を算出する温度測定手段７６を備え、その正面には、前記各測定手段７４，７５，７６で算出された油分量，水分量，皮膚温度を夫々表示する油分量表示部７７，水分量表示部７８，温度表示部７９が設けられている。
【０００５】
そして、まず、油分量を測定するときは、油分量測定プローブ６２の先端に油分採取チップ６１を装着して油分採取前の反射光強度を測定し、その後、油分量測定プローブ６２をホルダー６７から抜き取って油分採取チップ６１を皮膚に押し当て、油分を採取した後、再びホルダー６７内に収納して油分採取後の反射光強度を測定すると、その反射光強度変化に基づいて測定された油分量が油分量表示部７７に表示される。
次いで、水分量を測定するときは、水分量測定プローブ６４をホルダー６８から抜き取って、先端の水分センサ６３を皮膚に押し当ててスイッチ６４ａを押せば、その出力信号に基づいて水分量測定手段で水分量が算出され、その結果が水分量表示部７８に表示される。
さらに、皮膚温度についても皮膚温度測定プローブ６６を用いて水分量と同様に測定することができる。
【０００６】
【発明が解決しようとする課題】
しかしながら、水分量測定プローブ６４及び皮膚温度測定プローブ６６は信号線７２，７３を介して装置本体６０に接続されているため、装置本体６０から離れたところでは測定することができず、また、信号線７２，７３が届く範囲で測定していても、信号線７２，７３が絡み合ってしまい取り扱いが極めて面倒であるという問題があった。
また、油分量測定プローブ６２は信号線で接続されてはいないが、装置本体６０に形成したホルダー６７に挿し込むことにより油分が光学的に測定されるので、やはり装置本体６０に近いところでなければ測定することはできない。
しかも、この種の皮膚特性測定装置は、各測定プローブ６２，６４，６６で測定された油分量，水分量，皮膚温度の各データを表示するに止まるので、これらのデータに基づいて肌の状態を総合的に判断するには、やはり美容部員の長年の経験や感に頼らざるを得ない。
【０００７】
もちろん、各データをコンピュータに入力して所定のプログラムに従って演算処理させれば、例えば、夫々のデータを同年齢の平均値と比較してレーダチャートなどに表示させて、どのデータが平均位置に対して多いか少ないかなどを一目で判るようにすれば、美容部員の経験や感に頼らずに、例えば水分量が少なければ保湿成分の多く含まれた化粧品を使用するように、また、油分が多ければ皮脂を除去する成分が多く含まれた化粧品を使用するようにアドバイスすることができる。
しかし、前述した皮膚特性測定装置などで測定した各データを一つ一つコンピュータに入力しなければ演算処理を実行させることはできず、項目が複数に渡る場合に各データを間違いなくキー入力することは非常に面倒で手間も時間もかかる。
特に、多数の顧客の相談に応じなければならない忙しいときには入力ミスを犯しやすく、入力ミスしたときには、誤ったデータに基づいてアドバイスするおそれがあった。
【０００８】
そこで本発明は、信号線をなくしてどこでも皮膚特性を表す各種データを測定することができると同時に、その測定結果をキー入力することなくコンピュータにデータとして入力させることができるようにすることを技術的課題としている。
【０００９】
【課題を解決するための手段】
この課題を解決するために、本発明は、夫々異なる皮膚特性を測定する複数の測定機と、各測定機の測定結果をコンピュータに入力させるデータ中継機からなり、各測定機は、電源となるバッテリと、測定しようとする皮膚特性を電気的な信号として出力させるセンサと、そのセンサの検出信号に基づいて皮膚特性を表すデータを算出する演算装置と、算出されたデータを記憶するメモリと、そのデータを数量化して表示する表示部と、測定した皮膚特性に応じて予め設定された皮膚特性識別用ヘッダと前記メモリに記憶されたデータとからなる通信データを形成する通信データ形成手段と、前記通信データを光信号に変換して出力する光信号出射部とを備え、前記データ中継機には、各測定機の光信号出射部から出射される光信号を入射させる光信号入射部と、当該光信号入射部に入射された通信データを光信号のまま、または、電気信号に変換してコンピュータに入力させる通信データ中継伝送手段を備えたことを特徴とする。
【００１０】
本発明によれば、各測定機にバッテリが搭載されると共に、表示部が設けられているので、測定機単独で皮膚特性を測定すれば，その表示部に測定結果が表示される。
したがって、表示部やバッテリを設けた装置本体などに信号線を介して接続する必要がなく、測定機のみを持ち運べば、どこでも測定結果を見ることができる。
また、各測定機の通信データ形成手段では、測定した皮膚特性に応じて予め設定された皮膚特性識別用ヘッダと測定結果として記憶されたデータとからなる通信データが形成され、光信号出射部で光信号に変換して出力される。
したがって、各測定機から出力される光信号をデータ中継機の光信号入射部に入射させれば、通信データが光信号のまま又は電気信号に変換されてコンピュータに入力される。
このとき、通信データには皮膚特性識別用ヘッダが設けられており、コンピュータにデータの種類を自動的に識別させることができるので、複数種類のデータを入力するときにデータの種類を操作者が一々指定したり、定められた順番に従ってデータを入力したりする必要がない。
【００１１】
そして、さらに好適な実施形態としては、各測定機が同一形状のケーシングで形成されると共に、前記光信号出射部が全ての測定機について前記ケーシングの同じ位置に形成され、前記データ中継機には、前記ケーシングの光信号出射部が形成された部分を挿し込む挿通孔が形成されると共に、当該挿通孔内には、ケーシングを挿し込んだときにその光信号出射部と対向する位置に前記光信号入射部が形成されて成る。
これによれば、各測定機のケーシングを挿通孔に挿し込むだけで、測定機の光信号出射部から出力された通信データが、データ中継機の光信号入射部に入力されるので、コネクタの着脱操作などを一切行うことなく、各皮膚特性のデータをコンピュータに入力させることができる。
【００１２】
【発明の実施の形態】
以下、本発明の実施の形態を図面に基づいて具体的に説明する。
図１は本発明に係るスキンカウンセリングデータ入力装置の概略を示すブロック図、図２はその外観を示す説明図、図３は油水分測定機の外観斜視図、図４はそのブロック図、図５は明るさ／色合い測定機の外観斜視図、図６はそのブロック図、図７は皮膚温度測定機の外観斜視図、図８はそのブロック図、図９は皮膚弾性測定機の外観斜視図、図１０はそのブロック図である。
【００１３】
本例に係るスキンカウンセリングデータ入力装置１は、例えば、皮膚の油分量及び水分量を測定する油水分測定機Ｓ１，皮膚の明るさ及び色合いを測定する明るさ／色合い測定機Ｓ２，皮膚の温度を測定する皮膚温度測定機Ｓ３及び皮膚の弾力性を測定する皮膚弾性測定機Ｓ４と、各測定機Ｓ１〜Ｓ４の測定結果をコンピュータ２に入力させるデータ中継機３からなる。
各測定機Ｓ１〜Ｓ４は、同一形状のケーシングＣで形成され、電源となるバッテリ４と、測定しようとする皮膚特性測定手段Ｍ１〜Ｍ４と、当該測定手段Ｍ１〜Ｍ４で測定されたデータを記憶するメモリ５と、そのデータを数量化して表示する表示部６と、測定した皮膚特性に応じて予め設定された皮膚特性識別用ヘッダと前記メモリ５に記憶されたデータとからなる通信データを形成する通信データ形成手段７を備えている。
また、前記通信データを光信号に変換して出力する光信号出射部８が、全ての測定機Ｓ１〜Ｓ４について前記ケーシングＣの同じ位置に形成され、測定終了後各測定機Ｓ１〜Ｓ４のスイッチ（図示せず）をオフするまで通信データを所定時間間隔（１秒おき）に出力するようになされている。
なお本例では、各測定機Ｓ１〜Ｓ４の背面側にバッテリ４を搭載している関係上、光信号出射部８は背面から見てケーシングＣの上方寄りに形成されている。
【００１４】
また、前記データ中継機３は、コンピュータ２を載置する基台を兼用しており、各測定機Ｓ１〜Ｓ４を収納するホルダＨ１〜Ｈ４が形成されると共に、各測定機Ｓ１〜Ｓ４のケーシングＣを背面から挿し込む挿通孔９が形成されている。
そして、この挿通孔９内には、各測定機Ｓ１〜Ｓ４のケーシングＣの上下を逆にして挿し込んでも、その光信号出射部８から出力される通信データを受信することができるように、光信号出射部８と対向する位置に光信号入射部１０ａ，１０ｂが形成されている。
そして、当該光信号入射部１０ａ，１０ｂから入射された光信号は、光電変換素子１１ａ，１１ｂを備えた光電変換装置１１で電気信号に変換され、通信ケーブル（通信データ中継伝送手段）１２を介してコンピュータ２に入力される。
また、１３は皮膚を拡大して撮像するＣＣＤマイクロスコープであって、その画像信号がデータ中継機３を介してコンピュータ２に入力されるようになされている。
なお、光信号出射部８が測定機Ｓ１〜Ｓ４の背面から見てケーシングＣの中央に形成されている場合には、光信号入射部はそれに対向する１ケ所で足りる。
【００１５】
油水分測定機Ｓ１の皮膚特性測定手段Ｍ１は、ケーシングＣから突出して形成された測定用プローブ２１と、その先端に配設された湿度センサ２２と、当該湿度センサ２２の出力信号に基づいて水分量を算出する水分量演算装置２３と、ケーシングＣの先端側の底面に形成された油分測定孔２４内に配設された油分検出光学系（センサ）２５と、当該油分検出光学系２５の出力信号に基づいて油分量を算出する油分量演算装置２６からなる。
そして、油分量を測定する場合は、油分採取キャップ２７を前記プローブ２１の先端に装着して油分採取面２８に皮脂を浸透させた後、当該油分採取面２８を測定孔２４に差し込む。
これにより、油分採取面２８に測定光が照射され、その反射光強度に基づいて前記油分量演算装置２６で油分量が検出される。
なお油水分測定機Ｓ１の表示部６には、油分量及び水分量が１５段階で表示され、その通信データ形成手段７では、１５段階に測定された油分データ及び水分データに夫々皮膚特性識別用ヘッダＬ及びＨを付けて通信データを形成する。
【００１６】
また、明るさ／色合い測定機Ｓ２の皮膚特性測定手段Ｍ２は、ケーシングＣから突出して形成された測定用プローブ３１と、その先端に形成された透光部３２と、当該透光部３２を皮膚の測定部位に当接した状態で皮膚面と直交する光軸Ｂ上に配設された受光素子（センサ）３３と、前記光軸Ｂに対して約３０°の角度で前記透光部３２に赤色光及び緑色光を照射する赤色発光素子３４Ｒ及び緑色発光素子３４Ｇと、前記受光素子３３で測定された各色反射光強度に基づいて所定の演算処理を行い肌の明るさ及び色合いを算出する演算装置３５からなる。
なお、腕の背面側等の日に焼けていない部分の反射光強度を標準反射光強度Ｒ０，Ｇ０とし、明るさ及び色合いを測定しようとする顔の肌などの測定対象面の各色測定反射光強度ＲＭ，ＧＭとすると、正規化反射光強度Ｒ，Ｇは、
Ｒ＝ＲＭ／Ｒ０，Ｇ＝ＧＭ／Ｇ０
で求まり、肌の明るさＸ，肌の色合いＹは、この正規化反射光強度Ｒ，Ｇに基づいて、
Ｘ＝Ｒ＋Ｇ， Ｙ＝Ｒ−Ｇ
で求まる。
なお、明るさ／色合い測定機Ｓ２は、その表示部６で、明るさＸを縦軸，色合いＹを横軸とするグラフィック表示がなされ、その通信データ形成手段７では、明るさＸと色合いＹの基礎データとなる各色標準反射光強度Ｒ０，Ｇ０及び各色測定反射光強度ＲＭ，ＧＭに夫々皮膚特性識別用ヘッダＪ０，Ｋ０及びＪＭ，ＫＭを付けて通信データを形成する。
【００１７】
皮膚温度測定機Ｓ３の皮膚特性測定手段Ｍ３は、ケーシングＣから突出して形成された測定用プローブ４１と、その先端に配設された温度センサ４２と、当該温度センサ４２の検出信号に基づいて測定用プローブ４１の先端に当接された皮膚の温度を算出する演算装置４３とから成る。
そして、測定用プローブ４１を皮膚に押し当てて皮膚温度を測定するときに、温度センサ４２で検出される温度の時間的変化を所定時間間隔（例えば２秒間隔）で１００データ採取し、その変化率が予め設定された値以下になったときの温度を皮膚温度として検出し、表示部６ではこれを８段階で表示する。
なお、前記温度センサ４２は、皮膚に測定用プローブ４１を皮膚に押し当てないときは気温（室温）を検出することができる。
また、皮膚温度測定機Ｓ３の通信データ形成手段７では、測定された室温及び皮膚温度に夫々皮膚特性識別用ヘッダＲ，Ｔをつけて通信データを形成する。
【００１８】
皮膚弾性測定機Ｓ４の皮膚特性測定手段Ｍ４は、ケーシングＣから突出して形成された測定用プローブ５１と、その先端からさらに突出するように形成されたプランジャ５２と、当該プランジャ５２の位置を検出する光センサ５３と、光センサ５３の検出信号に基づいて皮膚弾性を測定する演算装置５４からなる。
そして、プランジャ５２はバネ５５で突出方向に付勢されており、演算装置５４では、測定用プローブ５１を皮膚に押し当てたときにプランジャ５２が皮膚弾性でバネ５５の弾撥力に抗して引っ込むときの変位に基づいて弾性値及び粘性値を測定する。
このとき、弾性値はプランジャ５２の最終変位量に基づいて測定され、粘性値は、ブランジャ５２が最終変位量に達するまでの時間的変化に基づいて決定される。
なお、皮膚弾性測定機Ｓ４の通信データ形成手段では、測定された弾性値及び粘性値に夫々皮膚特性識別用ヘッダＵ，Ｖをつけて通信データを形成する。
【００１９】
以上が本発明の一構成例であって、つぎにその作用について説明する。
まず、データ中継機３の上にコンピュータ２を載置し、通信ケーブル１２の先端に形成されたコネクタ１２ａをコンピュータ２の入力ポートに接続する。
そして、コンピュータ２に予め記憶させたスキンカウンセリング用の所定のプログラムを実行させ、各データを入力可能な状態で待機させておく。
ここで、スキンカウンセリングを受けに来た顧客に対して、油水分測定機Ｓ1で皮膚の油分量及び水分量を測定し、明るさ／色合い測定機Ｓ２で皮膚の明るさ／色合いを測定し、皮膚温度測定機Ｓ３で皮膚温度を測定し、皮膚弾性測定機Ｓ４で皮膚の弾力性を測定する。
この場合に、各測定機Ｓ１〜Ｓ４は夫々にバッテリ４が搭載されて表示部６が形成されているので、例えばデータ中継機３から離れたところで顧客に応対する場合も、顧客をデータ中継機３の近くまで呼び寄せるまでもなく、美容部員が各測定機Ｓ１〜Ｓ４だけを持ち運んで必要なデータを測定することができる。
また、各測定機Ｓ１〜Ｓ４には信号線や電源コードがないので、必要なデータを測定する場合にこれらが絡み合うこともなく取り扱いが非常に便利である。
さらに、各測定機Ｓ１〜Ｓ４の表示部６に測定結果が表示されるので、特にこれらのデータをコンピュータ２で処理する必要のない場合には、その場で測定結果を見ながら顧客に対して必要なアドバイスを行うことができる。
【００２０】
次いで、各測定機Ｓ１〜Ｓ４は、スイッチ（図示せず）をオフするまで、その測定結果を含む通信データを光信号出射部８から光信号として出力している。
したがって、その測定結果をコンピュータ２で処理する場合は、各測定機Ｓ１〜Ｓ４の後端側をデータ中継機３の挿通孔９に挿し込めば、光信号出射部８から出射された光信号が、挿通孔９内に形成された光信号入射部１０ａ又は１０ｂに入射され、これが光電変換装置１１により電気信号に変換されて、通信ケーブル１２を介してコンピュータ２に入力されので、キー入力する手間は一切不要となる。
【００２１】
また、各測定機Ｓ１〜Ｓ４から出力された通信データには、測定した皮膚特性に応じて夫々異なる皮膚特性識別用ヘッダが付されているので、コンピュータ２ではそのヘッダを識別することにより何のデータが入力されたか判断することができる。
したがって、各測定機Ｓ１〜Ｓ４を挿通孔９に挿し込んでデータ送信する際に、どのような順序で挿し込んでも良く、また、コンピュータ操作を行う美容部員が一々何のデータを入力するかを指定する操作も一切不要となり、入力ミスを犯すこともない。
そして、コンピュータ２では、予め設定されたプログラムに従って、例えば、夫々のデータを同年齢の平均値と比較してレーダチャートなどに表示させて、どのデータが平均位置に対して多いか少ないかなどを一目で判るようにすることにより、正しく入力されたデータに基づいて顧客に対し適切なアドバイスすることができる。
【００２２】
なお、上述の説明では光信号として出力された通信データを電気信号に変換してコンピュータ２に伝送する場合について説明したが、コンピュータ２に光入力端子が設けてある場合は、光信号のまま伝送してもよいことはもちろんである。
また、データ中継機３の挿通孔９に各測定機Ｓ１〜Ｓ４の上下をどちらに向けて挿し込んでも、その光信号出射部８から出力された光信号を入力できるようにするためには、前述のように光電変換素子１１ａ，１１ｂを二つ配する場合に限らず、図１１１１に示すように、プリズム１５の屈折を利用して光信号を一つの光電変換素子１６に導くようにしてもよい。
さらに、各測定機Ｓ１〜Ｓ４をデータ中継機３の挿通孔９に挿し込むことにより通信データを伝送する場合に限らず、データ中継機３に接続された光コネクタを各測定機Ｓ１〜Ｓ４の光信号出射部８に接続する場合であってもよい。
【００２３】
【発明の効果】
以上述べたように、本発明によれば、各測定機にバッテリが搭載されると共に、表示部が設けられているので、測定機単独で皮膚特性を測定すれば，その表示部に結果が表示され、表示部やバッテリを設けた装置本体などに信号線を介して接続する必要がなく、測定機のみを持ち運んでどこでも測定することができるという大変優れた効果がある。
また、各測定機から光信号として出力された測定結果をデータ中継機を介してコンピュータに入力することができ、このとき、各通信データには皮膚特性識別用ヘッダが設けられているので、コンピュータにデータの種類を自動的に識別させることができ、キー入力が不要になるだけでなく、複数種類のデータを入力するときにデータの種類を操作者が一々指定したり、定められた順番に従ってデータを入力したりする必要がなく、入力ミスを犯すこともないという大変優れた効果がある。
【００２４】
さらに、各測定機を同一形状のケーシングで形成し、光信号出射部を全ての測定機について前記ケーシングの同じ位置に形成し、前記データ中継機側には、前記ケーシングの光信号出射部が形成された部分を挿し込む挿通孔を形成すると共に、挿通孔内にケーシングの光信号出射部と対向する位置に光信号入射部を形成しておけば、各測定機のケーシングを挿通孔に挿し込むだけで、光信号の授受を行うことができるので、コネクタなどの着脱操作を一切行うことなく、各皮膚特性のデータをコンピュータに入力させることができるという効果がある。
【図面の簡単な説明】
【図１】本発明に係るスキンカウンセリングデータ入力装置の概略を示すブロック図。
【図２】その外観を示す説明図。
【図３】油水分測定機の外観斜視図。
【図４】そのブロック図。
【図５】明るさ／色合い測定機の外観斜視図。
【図６】そのブロック図。
【図７】皮膚温度測定機の外観斜視図。
【図８】そのブロック図。
【図９】皮膚弾性測定機の外観斜視図。
【図１０】そのブロック図。
【図１１】光信号入射部の他の実施形態を示す図。
【図１２】従来の皮膚特性測定装置を示す斜視図。
【図１３】そのブロック図。
【符号の説明】
１・・・・・・スキンカウンセリングデータ入力装置
Ｓ１・・・・・油水分測定機
Ｓ２・・・・明るさ／色合い測定機
Ｓ３・・・・・皮膚温度測定機
Ｓ４・・・・・皮膚弾性測定機
２・・・・・・コンピュータ
３・・・・・・データ中継機
Ｃ・・・・・・ケーシング
４・・・・・・バッテリ
５・・・・・・メモリ
６・・・・・・表示部
７・・・・・・通信データ形成手段
８・・・・・・光信号出射部
Ｈ１〜Ｈ４・・ホルダ
９・・・・・・挿通孔
１０ａ，１０ｂ・光信号入射部
１２・・・・・・通信ケーブル（通信データ中継伝送手段）
【図１】
0003764243.tif 000002
【図２】
0003764243.tif 000003
【図３】
0003764243.tif 000004
【図４】
0003764243.tif 000005
【図５】
0003764243.tif 000006
【図６】
0003764243.tif 000007
【図７】
0003764243.tif 000008
【図８】
0003764243.tif 000009
【図９】
0003764243.tif 000010
【図１０】
0003764243.tif 000011
【図１１】
0003764243.tif 000012
【図１２】
0003764243.tif 000013
【図１３】
0003764243.tif 000014